(57)【特許請求の範囲】
【請求項１】
移動通信システムにおける移動局位置測定方法において、
前記移動局が基地局からパイロット強度測定メッセージを要請された場合またはハンドオフが発生した場合に、各基地局セクター内の所定場所における基地局の活性集合及び隣接集合の両者のパイロットチャネル信号強度を測定する第1ステップと、
前記パイロット強度測定メッセージを前記基地局に伝送する第2ステップと、
前記パイロット強度測定メッセージと予めデータベース化された基地局の活性集合と隣接集合とによりカバーされる所定地域におけるパイロットチャネル信号強度とを順に比較する第3ステップと、
前記第3ステップから得られた比較結果に応じて、移動局の位置を測定する第4ステップとを含むことを特徴とする移動通信システムにおける移動局位置測定方法。
【請求項２】
移動局が基地局内のセルにおけるアルファセクター、ベータセクター及びガンマセクターの3セクターのうちのいずれか１つに位置し、非希望セクターにおける信号強度が希望セクター内の障害物によって希望セクターにおける信号強度よりも大きい場合の移動通信システムにおけるハンドオフ遂行方法であって、
前記移動局が基地局からパイロット強度測定メッセージを要請された場合またはハンドオフが発生した場合に、各基地局セクター内の所定場所における基地局の活性集合及び隣接接集合のパイロットチャネル信号強度を測定する第1ステップと、
前記パイロット強度測定メッセージを基地局に伝送する第2ステップと、
前記パイロット強度測定メッセージと予めデータベース化された基地局の活性集合と隣接集合とによりカバーされる所定地域におけるパイロットチャネル信号強度とを順に比較する第3ステップと、
前記第3ステップから得られた比較結果に応じて、移動局の位置を測定する第4ステップと、
前記パイロット強度測定メッセージ及び前記第4ステップにおいて測定された移動局の位置に基づいて、非希望セクターにハンドオフを行なわない第5ステップとを含むことを特徴とする移動通信システムにおけるハンドオフ遂行方法。
【請求項３】
移動局が、アルファセクター、ベータセクター及びガンマセクターの3セクターを担当する基地局内において、アルファセクター及びベータセクター、前記ベータセクター及びガンマセクター又は前記アルファセクター及び前記ガンマセクターが重なる地域に位置し、非希望セクターにおける信号強度が前記重なる地域内の障害物によって他の２つのセクターにおける信号強度よりも大きい場合の移動通信システムにおけるハンドオフ遂行方法であって、
前記移動局が基地局からパイロット強度測定メッセージを要請された場合またはハンドオフが発生した場合に、各基地局セクター内の所定場所における基地局の活性集合及び隣集合のパイロットチャネル信号強度を測定する第1ステップと、
前記パイロット強度測定メッセージを基地局に伝送する第2ステップと、
前記パイロット強度測定メッセージと予めデータベース化された基地局の活性集合及び隣接集合によりカバーされる所定地域におけるパイロットチャネル信号強度とを順に比較する第3ステップと、
前記第3ステップから得られた比較結果に応じて、移動局の位置を測定する第4ステップと、
前記パイロット強度測定メッセージ及び前記第4ステップにおいて測定された移動局の位置に基づいて、２つのセクターが重なる地域において非希望セクターにハンドオフを行なわない第5ステップとを含むことを特徴とする移動通信システムにおけるハンドオフ遂行方法。
【発明の詳細な説明】
【０００１】
【発明が属する技術分野】
本発明は移動通信システムに関し、特に移動通信システムにおける移動局位置測定方法及びそれを利用したハンドオフ遂行方法に関する。
【０００２】
【従来の技術】
コード分割多重接続(CDMA)移動通信システムにおいて、移動局の電源がオン状態になれば、移動局は基地局(BS)と通信するためにCDMAチャネルに同調し、パイロットチャネルの探索を始める。
【０００３】
移動局がパイロットチャネルを獲得すれば、移動局は、同期チャネルを用いて該当システムにタイミングを合せることとなる。ここで、基地局各々のパイロットチャネルは、異なるPN(pseudo noise)オフセットを有する。
【０００４】
移動局がアイドル状態において、現在の基地局が担当する領域から新しい基地局が担当する領域に移動する場合、移動局は、現在の基地局のパイロットチャネル信号以外に新しい基地局のセクターから十分に強い他のパイロットチャネル信号を感知し得る。もし、新しい基地局のパイロットチャネル信号の強さが所定のしきい値以上であれば、移動局は、新しい基地局のセクターからのパイロットチャネル信号に関連したパイロット強度測定メッセージ(以下PSMMと記す)を逆方向通話チャネルを介して現在の基地局に伝送する。
【０００５】
現在の基地局は、移動局から受信したPSMMに基づいて、PNオフセットの新しい活性集合を設定し、ハンドオフ条件を満足する場合、新しい基地局にハンドオフを行なうこととなる。
【０００６】
上記のように、従来の方式においては、活性化された基地局を選択するために、各々異なるPNオフセットを有する基地局のパイロット信号強度が用いられる。移動局は、パイロットチャネル信号を現在の基地局や周辺基地局から受信する。従来の方式によれば、ハンドオフは各々異なるPNオフセットを有する基地局のパイロット信号強度に基づいて行なわれる。
【０００７】
【発明が解決しようとする課題】
上記した従来技術では、ビル等の地理的特性を有する障害物の近くにおいて移動局が基地局から受信する信号に関しては、隣接した基地局から伝送される信号強度は、前記障害物によって遠隔の基地局から送信される信号強度よりも弱くなる場合がある。この場合、移動局は、隣接した基地局ではなく、信号強度の強い遠隔の基地局にハンドオフを行なう。しかし、そのような地理的障害物を通過すれば、移動局は再び隣接基地局にハンドオフを行なうこととなる。
【０００８】
この場合、移動局が頻繁なスワップ(swap)とハンドオフを繰り返す過程において、呼が切断される可能性が高くなり、システム全体において通話品質に悪影響を与える問題がある。
【０００９】
本発明は、移動通信システムにおいて、移動局が測定したパイロットチャネルの信号強度をデータベース化し、これを利用して移動局の位置を測定することによってさらに効率的かつ正確なハンドオフ遂行方法を提供することを目的としている。
【００１０】
【課題を解決するための手段】
前記目的を達成するために、本発明は、移動通信システムにおける移動局位置測定方法において、前記移動局が基地局からパイロット強度測定メッセージを要請された場合またはハンドオフが発生した場合に、各基地局セクター内の所定場所における基地局の活性集合及び隣接集合の両者のパイロットチャネル信号強度を測定する第1ステップと、前記パイロット強度測定メッセージを前記基地局に伝送する第2ステップと、前記パイロット強度測定メッセージと予めデータベース化された基地局の活性集合と隣接集合とによりカバーされる所定地域におけるパイロットチャネル信号強度とを順に比較する第3ステップと、前記第3ステップから得られた比較結果に応じて、移動局の位置を測定する第4ステップとを含むことを特徴としている。
【００１１】
また、本発明は、移動局が基地局内のセルにおけるアルファセクター、ベータセクター及びガンマセクターの3セクターのうちのいずれか１つに位置し、非希望セクターにおける信号強度が希望セクター内の障害物によって希望セクターにおける信号強度よりも大きい場合の移動通信システムにおけるハンドオフ遂行方法であって、前記移動局が基地局からパイロット強度測定メッセージを要請された場合またはハンドオフが発生した場合に、各基地局セクター内の所定場所における基地局の活性集合及び隣接集合のパイロットチャネル信号強度を測定する第1ステップと、前記パイロット強度測定メッセージを基地局に伝送する第2ステップと、前記パイロット強度測定メッセージと予めデータベース化された基地局の活性集合と隣接集合とによりカバーされる所定地域におけるパイロットチャネル信号強度とを順に比較する第3ステップと、前記第3ステップから得られた比較結果に応じて、移動局の位置を測定する第4ステップと、前記パイロット強度測定メッセージ及び前記第4ステップにおいて測定された移動局の位置に基づいて、非希望セクターにハンドオフを行なわない第5ステップとを含むことを特徴としている。
【００１２】
また、本発明は、移動局が、アルファセクター、ベータセクター及びガンマセクターの3セクターを担当する基地局内において、アルファセクター及びベータセクター、前記ベータセクター及びガンマセクター又は前記アルファセクター及び前記ガンマセクターが重なる地域に位置し、非希望セクターにおける信号強度が前記重なる地域内の障害物によって他の２つのセクターにおける信号強度よりも大きい場合の移動通信システムにおけるハンドオフ遂行方法であって、前記移動局が基地局からパイロット強度測定メッセージを要請された場合またはハンドオフが発生した場合に、各基地局セクター内の所定場所における基地局の活性集合及び隣接集合のパイロットチャネル信号強度を測定する第1ステップと、前記パイロット強度測定メッセージを基地局に伝送する第2ステップと、前記パイロット強度測定メッセージと予めデータベース化された基地局の活性集合及び隣接集合によりカバーされる所定地域におけるパイロットチャネル信号強度とを順に比較する第3ステップと、前記第3ステップから得られた比較結果に応じて、移動局の位置を測定する第4ステップと、前記パイロット強度測定メッセージ及び前記第4ステップにおいて測定された移動局の位置に基づいて、２つのセクターが重なる地域において非希望セクターにハンドオフを行なわない第5ステップとを含むことを特徴としている。
【００１３】
【発明の実施の形態】
以下、本発明に係る好ましい実施の形態を添附した図面に基づいて詳細に説明する。
図1は本発明に係る移動通信システムの概略を示すブロック図である。
図1に示したように、移動通信システムは移動局10と基地局20とを備える。移動局10は通話チャネルを介してPSMMを伝送する役割をする。
【００１４】
基地局20は、データベース21、比較部22及び制御部23を備える。移動局の位置において測定された基地局の活性集合及び隣接集合のパイロットチャネル信号強度は、移動局から伝送されたPSMMを利用してデータベース21に貯蔵される。
【００１５】
比較部22は、前記パイロットチャネルの信号強度と前記データベース21に貯蔵された基地局の活性集合及び隣接集合からのパイロットチャネルの信号強度とを比較した後、その比較結果の信号を出力する。
【００１６】
制御部23は、データベース21へのパイロットチャネル信号強度の記憶処理、該信号強度の比較部22への転送処理、及び比較部22における比較結果の取り込みの制御を行い、比較部22から出力された比較結果の信号に基づいて、該当移動局10の位置を測定し、移動局の測定された位置及び移動局10から伝送されたPSMMに基づいて判断し、ハンドオフを行なわない、又は最も適切な基地局にハンドオフを行なう。
【００１７】
図2は、本発明に係る移動局の位置を測定する方法とこれを利用した移動通信システムにおけるハンドオフ推遂行方法を示すフローチャートである。
【００１８】
図2において、実施の形態に係る移動通信システムにおける移動局位置測定方法は、下記のように説明される。
【００１９】
基地局20がPSMMの送信を移動局10に要請する場合、ステップS1において、基地局20はパイロット測定要請メッセージ(以下PSRMと記す)を移動局10に伝送する。ステップS2において、移動局10は、基地局20からPSRMを受信したか否か、又はハンドオフが発生したか否かを繰返し判断する。PSRMを受信又はハンドオフが発生したと判断した場合、ステップS3において、移動局10は、各基地局のセクター内の全ての所定場所における基地局の活性集合及び隣接集合からのパイロットチャネル信号強度を測定し、該当基地局にPSMMを伝送する。
【００２０】
ステップS4において、基地局20の比較部22は、前記移動局から伝送されたPSMMと、予めデータベース化された活性集合及び隣接集合に含まれるパイロットチャネルの信号強度とを順に比較する。
【００２１】
ステップS5において、基地局20の制御部23は、比較結果に応じて移動局の位置を測定する。
【００２２】
次に、本発明の実施の形態に係る移動通信システムにおけるハンドオフ遂行方法を説明する。
【００２３】
移動局は、基地局がカバーするセル内の3セクター、すなわちアルファセクター、ベータセクター及びガンマセクターの希望するいずれか１つのセクター内に位置する場合、希望セクター内の障害物によって非希望セクターにおける信号強度が、希望セクターにおける信号強度よりも大きくなることがある。
【００２４】
また、アルファセクター、ベータセクター及びガンマセクターの3セクターを担当する基地局内において、アルファセクター及びベータセクター、前記ベータセクター及びガンマセクター、又は前記アルファセクター及び前記ガンマセクターが重なる地域内に、移動局が位置する場合、非希望セクターからの信号強度が、重なる地域における障害物によって他の2セクターからの信号強度よりも大きくなることがある。
【００２５】
ハンドオフが希望セクター内又はセクターが重なる地域内において発生する場合、上記のステップS1〜S5と同様に移動通信システムにおける移動局の位置の測定に関する処理が実施される。
【００２６】
その後、ステップS6において基地局は、前記ステップS3において送信されたPSMM及び前記ステップS5において測定された移動局の位置を判断する。移動局が前記３セクターのいずれか１つのセクター内に位置し、障害物によって非希望セクターにおける信号強度が希望セクターにおける信号強度よりも大きくなっていると判断した場合、ステップS9において基地局は、非希望セクターである該当する地域にはハンドオフを行なわない。そうでなければ、次のステップS7に移行する。
【００２７】
ステップS7においてもステップS6と同様に、基地局は、前記ステップS3において送信されたPSMM及び前記ステップS5において測定された移動局の位置を判断する。前記セクターが重なる地域内に移動局が位置し、障害物によって非希望セクターからの信号強度が他の２セクターからの信号強度よりも大きくなっていると判断した場合、ステップS9において、基地局は非希望セクターである該当する地域にはハンドオフを行なわない。そうでなければ、ステップS8において最適な基地局にハンドオフを行う。
【００２８】
上記の好ましい実施の形態によって本発明の技術思想を具体的に説明したが、上記した実施の形態は説明のためのものであって、制限するためのものではない。また、本発明の技術分野における通常の専門家であるならば、本発明の技術思想の範囲内において種々の変更が可能である。
【００２９】
【発明の効果】
上記したことから分かるように、基地局が移動局の位置を把握することによって、ハンドオフをさらに效率的に行なうことができる。さらに、正確にハンドオフを行なうことによって、ハンドオフ成功率を改善することができ、システムの信頼性を増大させることが可能となる。
【図面の簡単な説明】
【図１】  本発明に係る移動通信システムの実施の形態を示すブロック図である。
【図２】  本発明の実施の形態に係る移動局の位置を測定する方法と、これを利用した移動通信システムにおけるハンドオフ遂行方法を示すフローチャートである。
【符号の説明】
１０      移動局
２０      基地局
２１      データベース
２２      比較部
２３      制御部
【図１】
0003733287.tif 000002
【図２】
0003733287.tif 000003